(57)【要約】  ハンドオーバ処理にあたり、転送遅延が好ましくないサービスについてはそれ以外のサービスと異なる制御を実施する事により、ハンドオーバに伴うパケットデータの転送遅延を軽減し、アプリケーションサービスの中断が起こりにくくすることを目的とする。上位ネットワークから受信した一連のパケットデータをユーザ端末に転送する基地局は、前記ユーザ端末の移動により前記ユーザ端末がハンドオーバされるとき、前記一連のパケットデータの転送遅延に係わる特性に応じて、データフォワーディングをしないことを決定する決定手段を有する。
2008114449.tif 000002
【特許請求の範囲】
【請求項１】
上位ネットワークから受信した一連のパケットデータをユーザ端末に転送する基地局であって、
前記ユーザ端末の移動により前記ユーザ端末がハンドオーバされるとき、前記一連のパケットデータの転送遅延に係わる特性に応じて、データフォワーディングをしないことを決定する決定手段を有する、基地局。
【請求項２】
前記決定手段によるデータフォワーディングをしないことの決定に応じて、データフォワーディングをしないことをハンドオーバ先の基地局に通知する通知手段をさらに有する、請求項１に記載の基地局。
【請求項３】
前記通知手段は、データフォワーディングをしないことを示す情報をハンドオーバ要求に含めることによりデータフォワーディングをしないことを前記ハンドオーバ先の基地局に通知する、請求項２に記載の基地局。
【請求項４】
前記通知手段は、データフォワーディングに必要な情報を前記ハンドオーバ要求に含めないことによりデータフォワーディングをしないことを前記ハンドオーバ先の基地局に通知する、請求項２に記載の基地局。
【請求項５】
前記決定手段によるデータフォワーディングをしないことの決定に応じて、前記上位ネットワークから受信したがまだ前記ユーザ端末に転送していないパケットデータを破棄する破棄手段をさらに有する、請求項２に記載の基地局。
【請求項６】
前記一連のパケットデータを前記ユーザ端末に転送しつつ、前記上位ネットワークから受信した他の一連のパケットデータを前記ユーザ端末に転送している場合、前記決定手段は、前記ユーザ端末の移動により前記ユーザ端末がハンドオーバされるとき、前記他の一連のパケットデータの転送遅延に係わる特性に応じて、前記他の一連のパケットデータについてはデータフォワーディングをすることを決定する、請求項１に記載の基地局。
【請求項７】
前記決定手段によるデータフォワーディングをしないことの決定に応じて、ハンドオーバ元の基地局からデータフォワーディングされるパケットデータを待たずに、前記上位ネットワークから受信したパケットデータを前記ユーザ端末に転送するパケットデータ転送手段をさらに有する、請求項１に記載の基地局。
【請求項８】
前記ハンドオーバ元の基地局の基地局からデータフォワーディングされたパケットデータを破棄する破棄手段をさらに有する、請求項７に記載の基地局。
【請求項９】
上位ネットワークから受信した一連のパケットデータをユーザ端末に送信する基地局であって、
前記ユーザ端末の移動にともない前記ユーザ端末がハンドオーバ元の基地局からハンドオーバされるとき、データフォワーディングをしないことの前記ハンドオーバ元の基地局からの通知を受ける通知受信手段と、
前記通知受信手段がうけた前記通知に応じて、前記ハンドオーバ元の基地局からデータフォワーディングされるパケットデータを待たずに、前記上位ネットワークから受信したパケットデータを前記ユーザ端末に転送するパケットデータ転送手段と
を有する、基地局。
【請求項１０】
上位ネットワークから受信した一連のパケットデータをユーザ端末に転送する基地局における、パケットデータ転送方法であって、
前記ユーザ端末の移動により前記ユーザ端末をハンドオーバする決定をする段階と、
ハンドオーバ元の基地局またはハンドオーバ先の基地局において、前記一連のパケットデータの転送遅延に係わる特性に応じて、データフォワーディングをしないことを決定する段階と、
前記ハンドオーバ元の基地局においてデータフォワーディングをしないことを決定した場合、前記ハンドオーバ元の基地局から前記ハンドオーバ先の基地局に前記決定を通知する段階と、
前記ハンドオーバ先の基地局において、前記決定に応じて、データフォワーディングを待たずに、前記上位ネットワークから受信したパケットデータを前記ユーザ端末に転送する段階と
を有する方法。
【発明の詳細な説明】
【技術分野】
【０００１】
本発明は、携帯電話等の無線通信ネットワークにおける基地局、基地局で用いるハンドオーバ処理方法、及びそのハンドオーバ処理方法を実施するためのコンピュータプログラムに関する。特に、ハンドオーバ処理に係わる転送遅延を軽減することができる基地局、ハンドオーバ処理方法、コンピュータにかかるハンドオーバ処理方法を実行させるコンピュータプログラム、及びかかるプログラムを格納したコンピュータ読み取り可能記録媒体に関する。
【背景技術】
【０００２】
インターネットの普及によりＩＰ（Internet Protocol）パケットを利用した通信サービスが携帯電話を中心に爆発的に拡大している。この過程で様々なアプリケーションがＩＰパケットベースによるサービスとして提供可能となってきている。ユーザにとっては移動している事を意識せずにサービスを享受できる事が重要である。【０００３】
図１は、３Ｇ  ＬＴＥ（Long Term Evolution）パケットネットワークにおけるハンドオーバ手順を示すシーケンス図である。このハンドオーバ手順は、３ＧＰＰの仕様書（非特許文献１）において次のように規定されている。【０００４】
基地局（Source eNodeB）１２１は、ユーザ端末（UE）１１０にＬ３シグナルとして測定制御（Measurement Control）を送信する（ステップＳ１）。この時点では、パケットデータは、コアネットワーク側装置（EPC、Evolved Packet Core）１３０から基地局１２１を介してユーザ端末１１０に送信されている。また、基地局１２１は、ユーザ端末にＬ１／Ｌ２シグナルとしてアップリンクアロケーション（UL Allocation）を送信して、アップリンクチャネルを割り当てる。ユーザ端末１１０は、基地局１２１に測定レポート（Measurement Report）を送信して、ユーザ端末１１０を取り巻く電波状態を知らせる。【０００５】
基地局（Source e-Node B）１２１は、ユーザ端末１１０から通知された通信状態に基づいて、ユーザ端末１１０の移動に伴い他の基地局（Target e-Node B）１２２にハンドオーバが必要か判断する。ハンドオーバが必要と判断すると（ステップＳ３）、ハンドオーバ元基地局（Source e-NodeB）１２１は、ハンドオーバ先の候補である基地局（Target e-Node B）１２２へハンドオーバ要求メッセージを送信する（ステップＳ４）。【０００６】
このハンドオーバ要求には、ハンドオーバ実施の決定後にコアネットワーク側装置（EPC）１３０からハンドオーバ元基地局１２１に送信されてしまうパケットデータ（図２の１〜４）を基地局１２２に転送するデータフォワーディングに使用するトンネル（ハンドオーバ元基地局とハンドオーバ先基地局の間に張られる、データフォワーディング用の一時的なパケット転送経路）を設定するためのトンネル設定情報が含まれている。ハンドオーバ実施の決定後にコアネットワーク側装置１３０からハンドオーバ元基地局１２１に送信されてしまうパケットデータ（図２の１〜４）は、このトンネルを介して基地局１２２に転送され、基地局１２２からユーザ端末１１０に送信される。これにより、パケットデータが失われないようにしている。【０００７】
基地局１２２は、呼受付制御（Admission Control）を行い（ステップＳ５）、ハンドオーバ元基地局１２１にハンドオーバ要求アクノレッジ（Handover Request Acknowledge）を返す（ステップＳ６）ことにより、ハンドオーバ先基地局１２２となる。【０００８】
ハンドオーバ元基地局１２１は、ハンドオーバ先基地局１２２からハンドオーバ要求アクノレッジ（Handover Request Acknowledge）メッセージ（ステップＳ６）を受信した時点で、ユーザ端末１１０にＬ１／Ｌ２シグナルとしてダウンリンクアロケーション（DL Allocation）をおくり、ハンドオーバ先基地局１２２との同期を取り通信できる状態にするようハンドオーバコマンド（Handover Command）を送る（ステップＳ７）。【０００９】
ハンドオーバ元基地局１２１はその上位にあるコアネットワーク側装置（EPC、Evolved Packet Core）１３０から送られたパケットデータをハンドオーバ先基地局１２２へデータフォワーディング（DL Data Forwarding）する（ステップＳ８）。【００１０】
ユーザ端末１１０は、ハンドオーバ先基地局１２２と、Ｌ１／Ｌ２シグナリングにより同期（Synchronization）を取り、アップリンクアロケーション（UL Allocation）及びタイミングアドバンス（Timing Advance）を受ける。ユーザ端末１１０は、ハンドオーバ先基地局１２２からのパケットデータを受け取る準備ができた時点で、ハンドオーバ先基地局１２２にハンドオーバ確認（Handover Confirm）を送信する（ステップＳ９）。この時点では、コアネットワーク側装置１３０はユーザ端末１１０がハンドオーバされたことを知らないので、ユーザ端末１１０宛のパケットデータはハンドオーバ元基地局１２１に送信されている。【００１１】
ハンドオーバ先基地局１２２は、ユーザ端末１１０からハンドオーバ確認を受けると（ステップＳ９）、上位にあるコアネットワーク側装置１３０にハンドオーバ完了（Handover Complete）メッセージを送信して、ユーザ端末がハンドオーバ先基地局１２２の配下に来たことを通知する（ステップＳ１０）。【００１２】
これを受けて、コアネットワーク側装置１３０は、経路切り換えを行い（ステップＳ１１）、ユーザ端末１１０宛のパケットデータの送信先をハンドオーバ元基地局１２１からハンドオーバ先基地局１２２に切り換える。コアネットワーク側装置１３０は、ハンドオーバ先基地局１２２に、ハンドオーバ完了アクノレッジ（Handover Compulete Acknowledge）メッセージを送信する。これに応答して、ハンドオーバ先基地局１２２は、ハンドオーバ元基地局１２１に、リソース解放（Release Resource）メッセージを送信して（ステップＳ１３）、ユーザ端末１１０のために使用していたリソースを解放させる。ハンドオーバ元基地局１２１は、この時点で、ユーザ端末１１０宛のパケットデータをまだ保持している場合には、ハンドオーバ先基地局１２２にそのパケットデータの転送を継続し（ステップＳ１４）、ユーザ端末１１０宛のパケットデータが無くなった時点で、ユーザ端末１１０のために使用していたリソースを解放する（ステップＳ１５）。【００１３】
経路切り換え（ステップＳ１１）の後は、ユーザ端末１１０宛てのパケットデータは、コアネットワーク側装置１３０からハンドオーバ先基地局１２２を介してユーザ端末１１０に送信される。【００１４】
図２は、図１に示したユーザ端末へのパケットデータの転送をさらに詳細に説明するための図である。図２に示したユーザ端末（UE）１１０、ハンドオーバ元基地局（Source e-Node B）１２１、ハンドオーバ先基地局（Target e-Node B）１２２、コアネットワーク側装置（EPC）１３０は、それぞれ図１に示したユーザ端末（UE）１１０、ハンドオーバ元基地局（Source e-Node B）１２１、ハンドオーバ先基地局（Target e-Node B）１２２、コアネットワーク側装置（EPC）１３０に対応している。【００１５】
ユーザ端末１１０は、移動に伴い、ハンドオーバ元基地局１２１からハンドオーバ先基地局１２２にハンドオーバされる。この時、ハンドオーバ元基地局１２１はハンドオーバ先基地局１２２にハンドオーバ要求（Handover Request）メッセージ２５１を送信する（図１のステップＳ４）。ハンドオーバ先基地局（Target e-Node B）はハンドオーバ元基地局１２１にハンドオーバ要求アクノレッジ（Handover Request Acknowledge）２５２を返す（図１のステップＳ６）。【００１６】
このハンドオーバ要求２５１には、ハンドオーバ実施の決定後にコアネットワーク側装置１３０からハンドオーバ元基地局１２１に送信されてしまうパケットデータ（１〜４）をハンドオーバ先基地局１２２に転送するデータフォワーディング２５３に使用するトンネル（ハンドオーバ元基地局とハンドオーバ先基地局の間に張られる、データフォワーディング用の一時的なパケット転送経路）を設定するためのトンネル設定情報が含まれている。ハンドオーバ実施の決定後にコアネットワーク側装置１３０からハンドオーバ元基地局１２１に送信されてしまうパケットデータ（１〜４）は、このトンネルを介してハンドオーバ元基地局１２１からハンドオーバ先基地局１２２に転送され、ハンドオーバ先基地局１２２からユーザ端末１１０に送信される。【００１７】
ハンドオーバ実施後、コアネットワーク側装置１３０は、経路切り換えを行い（図１のステップＳ１１）、その後のパケットデータ（図２の５〜７）をハンドオーバ先基地局１２２に送信する。【００１８】
ここで、パケットデータの番号（１〜７）は、そのパケットデータがコアネットワーク側装置１３０から基地局１２１または１２２に送信される順序を示し、かつ基地局１２１または１２２からユーザ端末１１０に送信されるべき順序を示している。【００１９】
ハンドオーバ先基地局１２２は、たとえコアネットワーク側装置１３０からパケットデータ５〜７を受信しても、ハンドオーバ元基地局１２１から転送されるパケットデータ１〜４を待って、そのパケットデータ１〜４を先にユーザ端末１１０に送信し、次にコアネットワーク側装置１３０から直接受信したパケットデータ５〜７をユーザ端末１１０に送信する。
【非特許文献１】３ＧＰＰ  ＴＳ  ３６．３００  Ｖ０．５．０（２００７−０２）
【発明の開示】
【発明が解決しようとする課題】
【００２０】
転送遅延が好ましくないサービス（例えば、ボイスオーバＩＰ（ＶｏＩＰ）サービス）の場合、ハンドオーバ元基地局からハンドオーバ先基地局にデータフォワーディングを実施しない方が、QoS（Quality of Service）の観点から好ましい場合がある。【００２１】
しかし、従来のハンドオーバ（handover）手順では、ハンドオーバ元基地局がハンドオーバ先基地局に、データフォワーディングをしないことを通知する方法がない。そのため、ハンドオーバ先基地局は、ハンドオーバ元基地局からデータフォワーディングされる先行のパケットデータを（コアネットワーク側装置から受け取るパケットデータよりも先にユーザ端末に転送するため）待ってしまい、たとえ経路切り換え後にコアネットワーク（Core Network）側の装置から後続のパケットが直接送信されていても、そのパケットをすぐにユーザ端末に送信できない。このためパケット転送が遅延してしまう。【００２２】
さらに、従来のハンドオーバ手順では、データフォワーディングの実施が不要である転送遅延が好ましくないサービスの場合であっても、ハンドオーバ元基地局からハンドオーバ先基地局へデータフォワーディングするためのトンネル設定処理が実施されてしまう。そのため、基地局及びその間のネットワークに無用な負荷がかかってしまう。このトンネル設定処理も遅延の一因となり得る。
【課題を解決するための手段】
【００２３】
本発明は、上記課題のうち少なくとも１つを解決することを目的とする。【００２４】
本発明の一態様によると、上位ネットワークから受信した一連のパケットデータをユーザ端末に転送する基地局は、前記ユーザ端末の移動により前記ユーザ端末がハンドオーバされるとき、前記一連のパケットデータの転送遅延に係わる特性に応じて、データフォワーディングをしないことを決定する決定手段を有する。【００２５】
一実施形態では、上記基地局は、前記決定手段によるデータフォワーディングをしないことの決定に応じて、データフォワーディングをしないことをハンドオーバ先の基地局に通知する通知手段をさらに有してもよい。【００２６】
また、他の実施形態では、上記基地局は、前記決定手段によるデータフォワーディングをしないことの決定に応じて、ハンドオーバ元の基地局からデータフォワーディングされるパケットデータを待たずに、前記上位ネットワークから受信したパケットデータを前記ユーザ端末に転送するパケットデータ転送手段をさらに有してもよい。【００２７】
本発明の他の態様によると、上位ネットワークから受信した一連のパケットデータをユーザ端末に送信する基地局は、前記ユーザ端末の移動にともない前記ユーザ端末がハンドオーバ元の基地局からハンドオーバされるとき、データフォワーディングをしないことの前記ハンドオーバ元の基地局からの通知を受ける通知受信手段と、前記通知受信手段がうけた前記通知に応じて、前記ハンドオーバ元の基地局からデータフォワーディングされるパケットデータを待たずに、前記上位ネットワークから受信したパケットデータを前記ユーザ端末に転送するパケットデータ転送手段とを有する。【００２８】
本発明のさらに他の態様によると、上位ネットワークから受信した一連のパケットデータをユーザ端末に転送する基地局における、パケットデータ転送方法は、前記ユーザ端末の移動により前記ユーザ端末をハンドオーバする決定をする段階と、ハンドオーバ元の基地局またはハンドオーバ先の基地局において、前記一連のパケットデータの転送遅延に係わる特性に応じて、データフォワーディングをしないことを決定する段階と、前記ハンドオーバ元の基地局においてデータフォワーディングをしないことを決定した場合、前記ハンドオーバ元の基地局から前記ハンドオーバ先の基地局に前記決定を通知する段階と、前記ハンドオーバ先の基地局において、前記決定に応じて、データフォワーディングを待たずに、前記上位ネットワークから受信したパケットデータを前記ユーザ端末に転送する段階とを有する。
【発明の効果】
【００２９】
本発明により、転送遅延が好ましくないサービスの場合、ハンドオーバ元の基地局からハンドオーバ先の基地局に対してハンドオーバに伴うデータフォワーディングを行なわない事が通知できるようになり、データフォワーディングの為のトンネル設定手順が不要となるので、ハンドオーバ先の基地局は上位にあるコアネットワーク側の装置からのパケットが到着次第、そのパケットをユーザ端末にすぐに転送可能であり、結果として転送遅延が軽減できる。
【図面の簡単な説明】
【００３０】
【図１】３Ｇ  ＬＴＥで規定されているハンドオーバとパケットデータ転送を示すシーケンス図である。
【図２】図１に示したパケットデータ転送をさらに詳細に説明するための図である。
【図３】本発明の第１の実施形態によるハンドオーバ元基地局の動作を説明するためのフローチャートである。
【図４】本発明の第１の実施形態によるハンドオーバ先基地局の動作を説明するためのフローチャートである。
【図５】本発明の第１の実施形態による、ハンドオーバ手順を示すシーケンス図である。
【図６】図５に示した本発明の第１の実施形態によるハンドオーバ手順におけるパケットデータ転送をさらに詳細に説明するための図である。
【図７】本発明の他の実施形態による、ハンドオーバ手順を示すシーケンス図である。
【図８】本発明のさらに他の実施形態による、ユーザが異なる遅延品質を持つ複数のサービスを利用している場合のハンドオーバ手順におけるパケットデータ転送を説明するための図である。
【図９】本発明の一実施形態による基地局の構成を示すブロック図である。
【図１０】ハンドオーバ要求信号のデータフォーマットを示す図であり、（Ａ）は比較のための従来のデータフォーマットを示し、（Ｂ）は本発明の一実施形態によるデータフォーマットを示し、（Ｃ）は本発明の他の実施形態によるデータフォーマットを示す。
【図１１】本発明の第２の実施形態によるハンドオーバ元基地局の動作を説明するためのフローチャートである。
【図１２】本発明の第２の実施形態による、ハンドオーバ手順を示すシーケンス図である。
【符号の説明】
【００３１】
１１０  ユーザ端末
１２１  ハンドオーバ元基地局
１２２  ハンドオーバ先基地局
１３０  コアネットワーク側装置
２５１  ハンドオーバ要求
２５２  ハンドオーバ要求アクノレッジ
２５３  データフォワーディング用トンネル
５２１、７２１、８２１  ハンドオーバ元基地局
５２２、７２２、８２２  ハンドオーバ先基地局
６５１、８５１  ハンドオーバ要求
６５２、８５２  ハンドオーバ要求アクノレッジ
８５３  データフォワーディング用トンネル
９００  基地局
９０１  アンテナ
９０２  無線インターフェイス部
９０３  有線インターフェイス部
９０４  信号メッセージ制御部
９０５  パケットデータ制御部
９０６  パケットバッファ
【発明を実施するための最良の形態】
【００３２】
本発明では、ハンドオーバ処理にあたり、転送遅延が好ましくないサービスについてはそれ以外のサービス（転送遅延よりもパケットロスの方が好ましくないサービス、例えば、ビデオモニタリング等）とは異なる制御を実施する事により、ハンドオーバに伴うパケットデータの転送遅延を軽減し、アプリケーションサービスの中断が起こりにくくするものである。【００３３】
添付した図面を参照して、本発明を実施するための最良の形態を説明する。
［第１の実施形態］
図３、４を参照して、本発明の一実施形態による基地局の動作を説明する。図３は、本発明の第１の実施形態によるハンドオーバ元基地局の動作を示すフローチャートである。図４は、この実施形態によるハンドオーバ先基地局の動作を示すフローチャートである。【００３４】
本発明の一実施形態によるハンドオーバ元基地局は、ハンドオーバ決定をすると（ステップＳ３０２）、ユーザが利用しているサービスの転送遅延に係わる特性に応じてデータフォワーディング（Data Forwarding）をするか否か決定する（ステップＳ３０４）。【００３５】
この決定は、基地局がコアネットワーク側装置から受信してユーザ端末に送信しているパケットデータが、転送遅延が好ましくないサービスに係わるパケットデータであるか否か判断することにより行われる。ここで、転送遅延が好ましくないサービスとは、一定のＱｏＳを維持するためには、多少のパケット損失は生じてもよいが、パケットの転送遅延は好ましくないようなサービスであり、例えばＶｏＩＰ（Voice over IP）がある。あるサービスが、転送遅延が好ましくないサービスであるか否かは、通信事業者が決定すればよい。具体的には、基地局は、コアネットワーク側から、各サービスの特性を通知する情報を予め受け取っている。例えばＶｏＩＰについては転送遅延が好ましくないが、ビデオストリーミングや電子メールについては、パケットロスが発生しないようにすべきことを通知されている。各基地局は、この情報と、ＩＰフローについて通知されているサービス種別と基づいて、そのパケットデータがＶｏＩＰのパケットデータであることを知ることができる。【００３６】
データフォワーディングをしない場合（ステップＳ３０４、ＮＯ）、ハンドオーバ元基地局は、ハンドオーバ先基地局に、データフォワーディングをしないことを通知する（ステップＳ３０６）。この場合、ハンドオーバ元基地局は、データフォワーディングのためのトンネル設定を実行しない。この通知は、例えばハンドオーバ（handover）元基地局からハンドオーバ先基地局に送信されるハンドオーバ処理に関わる制御メッセージ（例えば、ハンドオーバ要求）に「データフォワーディングを実施する/しない」を示すパラメータを含めてハンドオーバ先基地局に送信することにより行われる。【００３７】
一方、ハンドオーバ先基地局は、上記制御メッセージ（例えば、ハンドオーバ要求）を受信すると（図４、ステップＳ４０２）、上記制御メッセージに含まれたこのパラメータの解読により、データフォワーディングの有無を判断する（ステップＳ４０４）。ハンドオーバ先基地局は、データフォワーディングがないと判断すると、ハンドオーバ元基地局からのトンネル設定とデータフォワーディングを待たずに、コアネットワーク側装置から受信したパケットデータをユーザ端末に送信することができる（ステップＳ４０６）。【００３８】
「転送遅延が好ましくないサービス」ではない場合（図３、ステップＳ３０４、ＹＥＳ）、ハンドオーバ元基地局は、従来通りデータフォワーディングをすることを決定し、ハンドオーバ要求を送信して（ステップＳ３１０）、データフォワーディングを実行する（ステップＳ３１２）。【００３９】
一方、ハンドオーバ先基地局は、上記制御メッセージに含まれたパラメータの解読により、データフォワーディングがあると判断すると、ハンドオーバ元基地局からのデータフォワーディングを待って、データフォワーディングで受信したパケットデータをユーザ端末に送信する（ステップＳ４０８）。その後、コアネットワーク側装置から受信したパケットデータをユーザ端末に送信する（ステップＳ４０６）。【００４０】
ハンドオーバ元基地局は、ステップＳ３０６において、制御メッセージ（例えば、ハンドオーバ要求）に「データフォワーディングを実施する/しない」を示すパラメータを含めてハンドオーバ先基地局に送信する替わりに、データフォワーディングを実施しない場合に限り、従来は制御メッセージに含まれるトンネル設定情報を、上記制御メッセージに含めない制御を行なってもよい。【００４１】
ハンドオーバ先基地局は、上記制御メッセージのトンネル設定情報の有無により、ハンドオーバ元基地局からのデータフォワーディングの有無を判断することができる。【００４２】
ハンドオーバ元基地局は、制御メッセージとともにデータフォワーディングをしないことをハンドオーバ先基地局に通知すると（ステップＳ３０６）、コアネットワーク側装置から受信してまだユーザ端末に送信していないパケットデータを削除する（Ｓ３０８）。
ＶｏＩＰのみを利用している場合のシーケンス
以下、ユーザが、転送遅延が好ましくないアプリケーションとしてＶｏＩＰのみを利用しているときにハンドオーバを行なう場合を説明する。【００４３】
図５は、本発明の第１の実施形態による、データフォワーディングを行わないハンドオーバ手順を示すシーケンス図である。【００４４】
図５に示したユーザ端末１１０とコアネットワーク側装置１３０は、図１及び２に示したユーザ端末１１０とコアネットワーク側装置１３０と同じものである。しかし、基地局５２１と５２２は、それぞれ図３、４を参照して説明した本発明の一実施形態によるハンドオーバ元基地局とハンドオーバ先基地局である。【００４５】
基地局（Source e-Node B）５２１は、ユーザ端末（UE）１１０にＬ３シグナルとして測定制御（Measurement Control）を送信する（ステップＳ１）。この時点では、パケットデータは、コアネットワーク側装置（EPC、Evolved Packet Core）１３０から基地局５２１を介してユーザ端末１１０に送信されている。また、基地局５２１は、ユーザ端末にＬ１／Ｌ２シグナルとしてアップリンクアロケーション（UL Allocation）を送信して、アップリンクチャネルを割り当てる。ユーザ端末１１０は、基地局５２１に測定レポート（Measurement Report）を送信して、ユーザ端末１１０を取り巻く電波状態を知らせる。【００４６】
基地局（Source e-Node B）５２１は、ユーザ端末１１０から通知された通信状態に基づいて、ユーザ端末１１０の移動に伴い他の基地局（Target e-Node B）５２２にハンドオーバが必要か判断する。ハンドオーバが必要と判断すると（ステップＳ３）、ハンドオーバ元基地局（Source e-Node B）５２１は、ハンドオーバ先の候補である基地局（Target e-Node B）５２２へハンドオーバ要求メッセージを送信する（ステップＳ５４）。【００４７】
この時、ハンドオーバ元基地局（Source e-Node B）５２１は、ユーザが使用しているサービスであるＶｏＩＰは転送遅延が好ましくない為、データフォワーディングは不要と判断する。ハンドオーバ元基地局５２１はハンドオーバ要求（Handover Request）メッセージに「データフォワーディングを実施しない」ことを示す情報を含めて、それをハンドオーバ先の候補である基地局５２２へ送信する。【００４８】
ハンドオーバ先の候補である基地局５２２は、このハンドオーバ要求メッセージ（「データフォワーディングを実施しない」ことを示す情報）を受信する事で、データフォワーディングが実施されない事を認識する。【００４９】
基地局５２２は、呼受付制御（Admission Control）を行い（ステップＳ５）、ハンドオーバ元基地局５２１にハンドオーバ要求アクノレッジ（Handover Request Acknowledge）を返す（ステップＳ６）ことにより、実際のハンドオーバ先基地局５２２となる。【００５０】
ハンドオーバ元基地局５２１は、ハンドオーバ先基地局５２２からハンドオーバ要求アクノレッジ（Handover Request Acknowledge）メッセージ（ステップＳ６）を受信した時点で、ユーザ端末１１０にＬ１／Ｌ２シグナルとしてダウンリンクアロケーション（DL Allocation）を送り、ハンドオーバ先基地局５２２との同期を取り通信できる状態にするようハンドオーバコマンド（Handover Command）を送る（ステップＳ７）。【００５１】
従来のハンドオーバ手順では、図１のステップ８及びステップ１４で示したように、ハンドオーバ元基地局からハンドオーバ先基地局へのデータフォワーディングが行われる。しかし、ハンドオーバ元基地局５２１は、データフォワーディングを行わないとの決定をして、その決定をハンドオーバ要求メッセージ（ステップＳ５４）に「データフォワーディングを実施しない」ことを示す情報を含めることにより、ハンドオーバ先基地局５２２に通知している。したがって、図１のステップＳ８及びステップＳ１４に対応するデータフォワーディングは行われない。【００５２】
ハンドオーバ元基地局５２１は、ハンドオーバ先基地局５２２からハンドオーバ要求アクノレッジメッセージを受信した時点で、ユーザ端末１１０に対してハンドオーバ先の基地局間の同期処理実行を命令し、その後、バッファ（buffer）内のものも含めて上位のコアネットワーク側装置１３０から送信されてユーザ端末１１０にまだ転送していないパケットデータを破棄する。【００５３】
ユーザ端末１１０は、ハンドオーバ先基地局５２２と、Ｌ１／Ｌ２シグナリングにより同期（Synchronization）を取り、アップリンクアロケーション（UL Allocation）及びタイミングアドバンス（Timing Advance）を受ける。ユーザ端末１１０は、ハンドオーバ先基地局５２２からのパケットデータを受け取る準備ができた時点で、ハンドオーバ先基地局５２２にハンドオーバ確認（Handover Confirm）メッセージを送信する（ステップＳ９）。この時点では、コアネットワーク側装置１３０はユーザ端末１１０がハンドオーバされたことを知らないので、ユーザ端末１１０宛のパケットデータはハンドオーバ元基地局５２１に送信されている。【００５４】
ハンドオーバ先基地局５２２は、ユーザ端末１１０からハンドオーバ確認メッセージを受けると（ステップＳ９）、上位にあるコアネットワーク側装置１３０にハンドオーバ完了（Handover Complete）メッセージを送信して、ユーザ端末がハンドオーバ先基地局５２２の配下に来たことを通知する（ステップＳ１０）。【００５５】
これを受けて、コアネットワーク側装置１３０は、経路切り換えを行い（ステップＳ１１）、ユーザ端末１１０宛のパケットデータの送信先をハンドオーバ元基地局５２１からハンドオーバ先基地局５２２に切り換える。コアネットワーク側装置１３０は、ハンドオーバ先基地局５２２に、ハンドオーバ完了アクノレッジ（Handover Complete Acknowledge）メッセージを送信して、経路切り換えが完了したことを通知する。これに応答して、ハンドオーバ先基地局５２２は、ハンドオーバ元基地局５２１に、リソース解放（Release Resource）メッセージを送信して（ステップＳ１３）、ユーザ端末１１０のために使用していたリソースを解放させる。【００５６】
ハンドオーバ元基地局５２１は、この時点で、ユーザ端末１１０宛のパケットデータをまだ保持していても、ハンドオーバ先基地局５２２にそのパケットデータをデータフォワーディングしない。すなわち、図１のステップＳ１４に示したデータフォワーディングは行わない。【００５７】
経路切り換え（ステップＳ１１）の後は、ユーザ端末１１０宛てのパケットデータは、コアネットワーク側装置１３０からハンドオーバ先基地局５２２を介してユーザ端末１１０に送信される。【００５８】
ハンドオーバ先基地局５２２はハンドオーバ元基地局５２１からのデータフォワーディングがないことを予め知っているので、ユーザ端末１１０宛のパケットデータがコアネットワーク側装置１３０から直接送られてきた時点で、そのパケットデータをすぐにユーザ端末１１０へ送り出すことができる。【００５９】
図６は、図５に示した本発明の第１の実施形態によるパケットデータ転送をさらに詳細に説明するための図である。図６に示したユーザ端末（UE）１１０、ハンドオーバ元基地局（Source e-Node B）５２１、ハンドオーバ先基地局（Target e-Node B）５２２、コアネットワーク側装置（EPC）１３０は、それぞれ図５に示したユーザ端末（UE）１１０、ハンドオーバ元基地局（Source e-Node B）１２１、ハンドオーバ先基地局（Target e-Node B）１２２、コアネットワーク側装置（EPC）１３０に対応している。【００６０】
ユーザ端末１１０は、移動に伴い、ハンドオーバ元基地局５２１からハンドオーバ先基地局５２２にハンドオーバされる。この時、ハンドオーバ元基地局５２１はハンドオーバ先基地局５２２にハンドオーバ要求（Handover Request）メッセージ６５１を送信する（図５のステップＳ５４）。ハンドオーバ先基地局（Target e-Node B）５２２はハンドオーバ元基地局５２１にハンドオーバ要求アクノレッジ（Handover Request Acknowledge）６５２を返す（図５のステップＳ６）。【００６１】
このハンドオーバ要求６５１には、「データフォワーディングを実施しない」ことを示す情報（図９（Ｂ）のフォワーディング指示（ＯＮ／ＯＦＦ））が含まれている。ハンドオーバ先基地局５２２は、この情報をチェックすることにより、ハンドオーバ元基地局５２１とハンドオーバ先基地局５２２の間にトンネル設定をしてデータフォワーディングをしないことを知ることができる（６５３）。【００６２】
ハンドオーバ実施の決定後にコアネットワーク側装置（EPC）１３０からハンドオーバ元基地局５２１に送信されてしまうパケットデータ（１〜４）は、ハンドオーバ先基地局５２２にデータフォワーディングされることなくハンドオーバ元基地局５２１により破棄される。【００６３】
一方、ハンドオーバ実施後、コアネットワーク側装置１３０は、経路切り換えを行い（図５のステップＳ１１）、その後のパケットデータ（図６の５〜７）をハンドオーバ先基地局５２２に送信する。【００６４】
ここで、パケットデータの番号（１〜７）は、そのパケットデータがコアネットワーク側装置１３０から基地局５２１または５２２に送信される順序を示し、かつ基地局５２１または５２２からユーザ端末１１０に送信されるべき順序を示している。【００６５】
ハンドオーバ先基地局５２２は、ハンドオーバ元基地局５２１からのデータフォワーディングが無いことを知っているので、コアネットワーク側装置１３０からパケットデータ５〜７を受信するとすぐにユーザ端末１１０に送信することができる。【００６６】
なお、本実施形態では、データフォワーディングを実施しないことを示す情報をハンドオーバ要求メッセージに含めるものとしたが、必ずしもハンドオーバ要求メッセージに含めずに、ハンドオーバ要求メッセージとは異なる独立の信号としてハンドオーバ元基地局からハンドオーバ先基地局に送信してもよい。
ＶｏＩＰ以外のサービスも利用している場合のシーケンス
図７は、本発明の他の実施形態による、データフォワーディングを行わないハンドオーバ手順を示すシーケンス図である。【００６７】
本実施形態は、利用中のサービスが、転送遅延が好ましくないサービスであり、ハンドオーバ元基地局７２１がデータフォワーディングをしないことを決定すると、ハンドオーバ先基地局７２２に対してデータフォワーディングのためのトンネル設定情報を含まないハンドオーバ要求メッセージを送信する（ステップＳ７４）点で、図５に示した実施形態と相違するが、その他の構成は図５に示した実施形態と同じである。【００６８】
ハンドオーバ先基地局７２２は、ハンドオーバ要求メッセージにトンネル設定情報が含まれていないことを検知し、データフォワーディングをしないことを知ることができる。【００６９】
次に、ユーザが異なる遅延品質を持つ複数のサービスを利用している場合について、図８を参照して説明する。この場合、ユーザは、転送遅延が好ましくないアプリケーションであるＶｏＩＰと、転送遅延よりもパケットロスの方が好ましくないアプリケーションであるビデオモニタリング（Video monitoring）とを同時に使用している時にハンドオーバが行なわれる。【００７０】
ユーザ端末１１０は、ＶｏＩＰに係わるパケットデータ（１〜７）と、ビデオモニタリングに係わるパケットデータ（１′〜７′）とを同時並行して受信している時に、ハンドオーバ元基地局８２１のエリアから隣接するハンドオーバ先基地局８２２のエリアに移動する。これに伴い、ハンドオーバ元基地局８２１は、ユーザが使用しているＶｏＩＰに係わるパケットデータについては転送遅延が好ましくないため、データフォワーディングは不要であると判断する。一方、ビデオモニタリングに係わるパケットデータについては転送遅延よりもパケットロスの方が好ましくないため、データフォワーディングが必要であると判断する。【００７１】
ハンドオーバ元基地局８２１は、ハンドオーバ要求メッセージ８５１に、ＶｏＩＰ通信についてはデータフォワーディングを実施せず、ビデオモニタリングについてはデータフォワーディングを実施することを示す情報を含めて、ハンドオーバ先基地局８２２へ送信する。【００７２】
ハンドオーバ先基地局８２２は、このハンドオーバ要求メッセージ８５１を受信することで、ＶｏＩＰサービスについてのみデータフォワーディングが実施されないことを知ることができる。ハンドオーバ先基地局８２２は、ハンドオーバ要求メッセージ８５２に対する応答としてハンドオーバ元基地局８２１に対してハンドオーバ要求アクノレッジメッセージ８５２を送信する。【００７３】
ハンドオーバ元基地局８２１は、ハンドオーバ要求アクノレッジメント８５２を受信した時点で、ユーザ端末１１０に対してハンドオーバ先基地局８２２との同期処理実行を命令し、ハンドオーバ決定後に上位のコアネットワーク側装置１３０から受信したユーザ端末１１０のＶｏＩＰサービスに係わるパケットデータ（１〜４）をバッファ内のものも含めて破棄する。【００７４】
ハンドオーバ先基地局８２２は、ハンドオーバ要求メッセージ８５１により、ＶｏＩＰサービスに係わるパケットデータについてはデータフォワーディングをしないことを知っているので、コアネットワーク側装置１３０からＶｏＩＰサービスに係わるパケットデータ（５〜７）を直接受信すると、すぐにユーザ端末１１０に転送することができる。【００７５】
一方、ハンドオーバ元基地局８２１は、ハンドオーバ決定後に上位のコアネットワーク側装置１３０から受信したユーザ端末１１０のビデオモニタリングサービスに係わるパケットデータ（１′〜４′）については、従来規定されている方法によりハンドオーバ先基地局８２２へデータフォワーディングを実施する。【００７６】
ハンドオーバ先基地局８２２は、ハンドオーバ要求メッセージ８５１により、ビデオモニタリングサービスに係わるパケットデータについてはデータフォワーディングをすることを知っているので、コアネットワーク側装置１３０からＶｏＩＰサービスに係わるパケットデータ（５′〜７′）を直接受信しても、すぐにはユーザ端末１１０に転送せずに、ハンドオーバ元基地局８２１からデータフォワーディングされるパケットデータ（１′〜４′）を待ち、これらデータを先にユーザ端末１１０に転送する。あるいは、任意の方式によりそのデータフォワーディング終了タイングを判断して、その後コアネットワーク側の装置から送られたパケットの転送を開始する。
ハードウェア構成
図９は、本発明の一実施形態による基地局の構成を示すブロック図である。基地局９００は、ユーザ端末（図５、６、７、８のユーザ端末１１０）との無線通信のインターフェイスであるアンテナ９０１と、このアンテナ９０１を制御する無線インターフェイス部９０２を有する。また、基地局９００は、有線インターフェイス部を有し、これは上位のコアネットワーク側装置（図５、６、７、８のコアネットワーク側装置１３０）との有線通信、及び隣接する基地局（図５、６、７、８の基地局５２２、７２２、８２２等）との有線通信のインターフェイスとして機能する。【００７７】
基地局９００は、さらに信号メッセージ制御部９０４を有する。この信号メッセージ制御部９０４は、コアネットワーク側装置、他の基地局、及びユーザ端末とレイヤー１〜３を介して交換する信号を生成、検出、分析、変換等を行い、その結果に基づいて基地局９００の他の構成要素を制御する。特に、ハンドオーバ要求メッセージにデータフォワーディングを実施しないことを示す情報（パラメータ）を加えたり、ハンドオーバ要求メッセージからトンネル設定情報を削除したりすることにより、基地局９００が隣接する基地局と交換する所望のメッセージを生成する。【００７８】
基地局９００は、さらにパケットデータ制御部９０５とバッファ９０６とを有する。パケットデータ制御部９０５はコアネットワーク側装置及びユーザ端末間でやりとりされるパケットデータを制御するものであり、基地局９００がハンドオーバ元基地局となる場合のハンドオーバ先基地局へのデータフォワーディングと、基地局９００がハンドオーバ先基地局となる場合のハンドオーバ元基地局からのデータフォワーディングも制御する。特に、パケットデータ制御部９０５は、コアネットワーク側装置からユーザ端末に送信されているパケットデータを分析して、そのパケットデータが、転送遅延が好ましくないサービスに係わるデータであるか判断し、その判断結果に基づいてパケットデータの蓄積及び破棄を制御する。バッファ９０６は、パケットデータ制御部９０５が受け取ったパケットデータを一時的に蓄積するための記憶装置である。
ハンドオーバ要求メッセージのデータ構造
図１０は、基地局が隣接する基地局に生成して送信するハンドオーバ要求（Handover Request）メッセージのデータ構造を示す図である。図１０（Ａ）は、図１に示した従来の基地局に係わるハンドオーバ要求メッセージであり、参照のために示した。図１０（Ｂ）は、図５、６に示した本発明の一実施形態による基地局５２１に係わるハンドオーバ要求メッセージである。図１０（Ｃ）は、図７に示した本発明の他の一実施形態による基地局７２１に係わるハンドオーバ要求メッセージである。【００７９】
図１０（Ａ）に示すハンドオーバ要求メッセージ１０００Ａは、このメッセージがハンドオーバ要求メッセージであることを示す情報１００１、ユーザ端末（ＵＥ）の識別情報１００２、ユーザ端末のコンテクスト情報１００３を有する。【００８０】
ハンドオーバ要求メッセージ１０００Ａは、ユーザ端末が複数（Ｎ個）のサービスを使用している場合に、サービスごとにＮ個のベアラ（Bearer）情報１００４を含み、各ベアラについて、そのベアラの番号を示す情報１００５−１〜Ｎ、ＩＰアドレス、ポート番号、ベアラタイプ、コーデック種別等のベアラ情報１００６−１〜Ｎ、及び転送パス設定情報１００７−１〜Ｎを含んでいる。【００８１】
図１０（Ｂ）に示すハンドオーバ要求メッセージ１０００Ｂは、図５、６に示した実施形態による基地局５２１に係わるハンドオーバ要求メッセージ（ステップＳ５４）である。ハンドオーバ要求メッセージ１０００Ｂは、図１０（Ａ）に示したハンドオーバ要求メッセージ１０００Ａと比較して、ベアラ１がデータフォワーディングをする（ＯＮ）ことを示す情報１００８−１を有し、ベアラＮがデータフォワーディングをしない（ＯＦＦ）ことを示す情報１００８−Ｎを有する点で異なる。ハンドオーバ先基地局は、この情報１００８−１〜Ｎを検出することにより、そのベアラのデータフォワーディングを行うか否かを知ることができる。【００８２】
図１０（Ｃ）に示すハンドオーバ要求メッセージ１０００Ｃは、図７に示した実施形態による基地局７２１に係わるハンドオーバ要求メッセージ（ステップＳ７４）である。ハンドオーバ要求メッセージ１０００Ｃは、図１０（Ａ）に示したハンドオーバ要求メッセージ１０００Ａと比較して、ベアラ１がデータフォワーディングをするためのトンネル設定情報（転送パス設定情報）１００９−１を有し、ベアラＮがトンネル設定情報（転送パス設定情報）１００９−Ｎを有さない点で異なる。ハンドオーバ先基地局は、このトンネル設定情報（転送パス設定情報）１００９−１〜Ｎを検出することにより、そのベアラのデータフォワーディングを行うか否かを知ることができる。【００８３】
このように、図１０（Ｂ）、１０（Ｃ）に示したハンドオーバ要求メッセージ１０００Ｂ、１０００Ｃでは、ユーザ端末が複数のサービスを使用中の場合に対応すべくサービス毎のベアラを持ち、サービス毎に本案でのパケット転送要否を示せるようパラメータ制御ができるようになっている。
［第２の実施形態］
図１１を参照して、本発明の他の実施形態による基地局の動作を説明する。図１１は、本発明の他の実施形態によるハンドオーバ先基地局の動作を示すフローチャートである。【００８４】
この実施形態によるハンドオーバ先基地局は、ハンドオーバ要求メッセージを受信すると（ステップＳ１１０２）、そのハンドオーバ要求メッセージから、ハンドオーバされるサービスが何であり、そのサービスは、転送遅延が好ましくないサービスであるか判断する（ステップＳ１１０４）。ハンドオーバされるサービスが、転送遅延が好ましくないサービスであると判断した場合（ステップＳ１１０４、ＹＥＳ）、ハンドオーバ先基地局は、従来通りデータフォワーディングは受けるが、データフォワーディングされたパケットデータは破棄することを決定する（ステップＳ１１０６）。この決定をすることにより、ハンドオーバ先基地局は、ハンドオーバ元基地局がすでに受信したがまだユーザ端末に転送していないパケットデータのデータフォワーディングを待たずに、コアネットワーク側装置から受信したパケットデータをユーザ端末に送信することができる（ステップＳ１１０８）。【００８５】
一方、ハンドオーバされるサービスが、転送遅延が好ましくないサービスではないと判断した場合（ステップＳ１１０４、ＮＯ）、ハンドオーバ先基地局は、従来通りハンドオーバ元基地局からデータフォワーディングされたパケットデータをユーザ端末に転送してから（ステップＳ１１１０）、コアネットワーク側装置から受信したパケットデータをユーザ端末に送信する（ステップＳ１１０８）。これにより、ハンドオーバされるサービスが、転送遅延が好ましくないサービスでない（すなわち、転送遅延よりもパケットロスの方が好ましくない）場合には、ハンドオーバ元基地局からデータフォワーディングされるパケットデータを失うことなく、コアネットワーク側装置から受信したパケットデータよりも先に転送できる。【００８６】
図１２は、この実施形態による、データフォワーディングを行わないハンドオーバ手順を示すシーケンス図である。【００８７】
図１２に示したユーザ端末１１０、基地局１２１、及びコアネットワーク側装置１３０は、それぞれ図１及び２に示したユーザ端末１１０、基地局１２１、コアネットワーク側装置１３０と同じものである。しかし、基地局１２２２は、図１２を参照して説明した本発明の他の実施形態によるハンドオーバ先基地局である。【００８８】
基地局（Source e-Node B）１２１は、ユーザ端末（UE）１１０にＬ３シグナルとして測定制御（Measurement Control）を送信する（ステップＳ１）。この時点では、パケットデータは、コアネットワーク側装置（EPC、Evolved Packet Core）１３０から基地局１２１を介してユーザ端末１１０に送信されている。また、基地局１２１は、ユーザ端末にＬ１／Ｌ２シグナルとしてアップリンクアロケーション（UL Allocation）を送信して、アップリンクチャネルを割り当てる。ユーザ端末１１０は、基地局１２１に測定レポート（Measurement Report）を送信して、ユーザ端末１１０を取り巻く電波状態を知らせる。【００８９】
基地局（Source e-Node B）１２１は、ユーザ端末１１０から通知された通信状態に基づいて、ユーザ端末１１０の移動に伴い他の基地局（Target e-Node B）１２２２にハンドオーバが必要か判断する。ハンドオーバが必要と判断すると（ステップＳ３）、ハンドオーバ元基地局（Source e-Node B）１２１は、ハンドオーバ先の候補である基地局（Target e-Node B）１２２２へハンドオーバ要求メッセージを送信する（ステップＳ４）。このハンドオーバ要求メッセージは、図１、２を参照して説明した従来のハンドオーバ要求メッセージである。【００９０】
ハンドオーバ先の候補である基地局１２２２は、このハンドオーバ要求メッセージを受信する事で、ハンドオーバされるサービスが何であり、そのサービスは、転送遅延が好ましくないサービスであるか判断することができる。【００９１】
基地局１２２２は、呼受付制御（Admission Control）を行い（ステップＳ５）、ハンドオーバ元基地局１２１にハンドオーバ要求アクノレッジ（Handover Request Acknowledge）を返す（ステップＳ６）ことにより、実際のハンドオーバ先基地局１２２２となる。【００９２】
ハンドオーバ元基地局１２１は、ハンドオーバ先基地局１２２２からハンドオーバ要求アクノレッジ（Handover Request Acknowledge）メッセージ（ステップＳ６）を受信した時点で、ユーザ端末１１０にＬ１／Ｌ２シグナルとしてダウンリンクアロケーション（DL Allocation）を送り、ハンドオーバ先基地局１２２２との同期を取り通信できる状態にするようハンドオーバコマンド（Handover Command）を送る（ステップＳ７）。【００９３】
ステップＳ７の後、本実施形態のハンドオーバ手順では、ステップ１２０８において、図１のステップ８及びステップ１４で示したように、ハンドオーバ元基地局１２１からハンドオーバ先基地局１２２２へのデータフォワーディングが行われる。しかし、ハンドオーバ先基地局１２２２は、データフォワーディングは受けるが、データフォワーディングされるパケットデータは破棄することを決定している（図１１のステップＳ１１０６）ので、データフォワーディングされたパケットデータは破棄する。【００９４】
ユーザ端末１１０は、ハンドオーバ先基地局１２２２と、Ｌ１／Ｌ２シグナリングにより同期（Synchronization）を取り、アップリンクアロケーション（UL Allocation）及びタイミングアドバンス（Timing Advance）を受ける。ユーザ端末１１０は、ハンドオーバ先基地局１２２２からのパケットデータを受け取る準備ができた時点で、ハンドオーバ先基地局１２２２にハンドオーバ確認（Handover Confirm）メッセージを送信する（ステップＳ９）。この時点では、コアネットワーク側装置１３０はユーザ端末１１０がハンドオーバされたことを知らないので、ユーザ端末１１０宛のパケットデータはハンドオーバ元基地局１２１に送信される。【００９５】
ハンドオーバ先基地局１２２２は、ユーザ端末１１０からハンドオーバ確認メッセージを受けると（ステップＳ９）、上位にあるコアネットワーク側装置１３０にハンドオーバ完了（Handover Complete）メッセージを送信して、ユーザ端末がハンドオーバ先基地局１２２２の配下に来たことを通知する（ステップＳ１０）。【００９６】
これを受けて、コアネットワーク側装置１３０は、経路切り換えを行い（ステップＳ１１）、ユーザ端末１１０宛のパケットデータの送信先をハンドオーバ元基地局１２１からハンドオーバ先基地局１２２２に切り換える。コアネットワーク側装置１３０は、ハンドオーバ先基地局１２２２に、ハンドオーバ完了アクノレッジ（Handover Complete Acknowledge）メッセージを送信して、経路切り換えが完了したことを通知する。これに応答して、ハンドオーバ先基地局１２２２は、ハンドオーバ元基地局１２１に、リソース解放（Release Resource）メッセージを送信して（ステップＳ１３）、ユーザ端末１１０のために使用していたリソースを解放させる。【００９７】
ステップＳ１３の後、ハンドオーバ元基地局１２１は、ステップＳ１２１４において、ユーザ端末１１０宛のパケットデータをまだ保持していれば、ハンドオーバ先基地局１２２２にそのパケットデータをデータフォワーディングする。しかし、ステップＳ１２０８と同様に、ハンドオーバ先基地局１２２２は、データフォワーディングは受けるが、データフォワーディングされるパケットデータは破棄することを決定している（図１１のステップＳ１１０６）ので、データフォワーディングされたパケットデータは破棄する。【００９８】
経路切り換え（ステップＳ１１）の後は、ユーザ端末１１０宛てのパケットデータは、コアネットワーク側装置１３０からハンドオーバ先基地局５２２を介してユーザ端末１１０に送信される。【００９９】
ハンドオーバ先基地局１２２２は、ハンドオーバ元基地局１２１からのデータフォワーディングは受けるが、データフォワーディングされるパケットデータは破棄することを決定しているので、ユーザ端末１１０宛のパケットデータがコアネットワーク側装置１３０から直接送られてきた時点で、そのパケットデータをすぐにユーザ端末１１０へ送り出すことができる。【０１００】
以上、本発明の実施の形態を詳細に説明したが、本発明は特定の実施形態に限定されるものではなく、特許請求の範囲に記載された本発明の要旨の範囲内において、種々の変形及び変更が可能である。
【図１】
2008114449.tif 000003
【図２】
2008114449.tif 000004
【図３】
2008114449.tif 000005
【図４】
2008114449.tif 000006
【図５】
2008114449.tif 000007
【図６】
2008114449.tif 000008
【図７】
2008114449.tif 000009
【図８】
2008114449.tif 000010
【図９】
2008114449.tif 000011
【図１０】
2008114449.tif 000012
【図１１】
2008114449.tif 000013
【図１２】
2008114449.tif 000014
【国際調査報告】
2008114449.tif 000015
2008114449.tif 000016
2008114449.tif 000017
2008114449.tif 000018